(57)【特許請求の範囲】
【請求項１】
軸筒と、複数のリフィールを選択的に軸筒から出没させるリフィール出没機構とを備え、前記リフィール出没機構を外部操作により往復動させて、該リフィール出没機構により突出状態にあるシャープペンシル用リフィールから鉛芯を繰出すようにした筆記具において、
前記リフィール出没機構を前記往復動が可能な状態と前記往復動が不能な状態とに切替える切替手段と、軸筒後端から外部に突出するノック部とを備え、該ノック部の操作によって前記リフィール出没機構を前記往復動させるようにした筆記具であって、
前記切替手段は、前記ノック部を往復動可能な状態と往復動不能な状態とに切替える手段であり、
前記ノック部には、着脱可能に係止部材が設けられ、
前記係止部材は、軸筒径方向へ突出する突起を有し、該突起を軸筒後端に接触又は近接させて前記ノック部を往復動不能にした状態と、同突起を軸筒後端から後方へ離間させて前記ノック部を往復動可能にした状態との双方の状態で、前記ノック部に装着可能であることを特徴とする筆記具。
【請求項２】
前記係止部材は、前後方向の一端側に前記突起を有するとともに、前後を反転して前記ノック部に装着可能に形成されていることを特徴とする請求項１記載の筆記具。
【請求項３】
前記ノック部を円筒状に形成し、前記係止部材を前記ノック部に対し弾性的に拡縮して嵌脱される断面Ｃ字状に形成したことを特徴とする請求項２記載の筆記具。
【請求項４】
前記リフィール出没機構は、各リフィールの後端部に接続されて前後方向へ進退可能な押子と、該押子の進退を案内する押子ガイド体とを備え、
前記押子ガイド体は、前進位置にある前記押子を係止した状態で、軸筒に相対して軸方向へ往復動するように設けられ、後端側に前記ノック部を有することを特徴とする請求項１乃至３何れか１項記載の筆記具。
【請求項５】
前記各押子の前端部に、リフィール後端部を着脱可能に接続する接続部を設け、複数の前記押子の前記接続部を全て同形状に形成し、ボールペン用リフィールを前記接続部に接続する際には直接接続し、ボールペン用リフィール以外のリフィールを前記接続部に接続する際にはスペーサを介して接続するようにしたことを特徴とする請求項４記載の筆記具。
【発明の詳細な説明】
【技術分野】
【０００１】
本発明は、装着された複数のリフィールを選択的に出没可能な筆記具に関するものである。
【背景技術】
【０００２】
従来、この種の筆記具には、例えば特許文献１に記載された発明がある。この筆記具では、シャープペンシル用リフィール（２１）を含む複数のリフィールと、各リフィールの後端部に接続されるとともに後部側を軸筒（１０）の外周面から露出した押子とを軸筒（１０）内に備え、選択された押子を前方へスライド操作することにより、該押子が掛止段部に掛止されて、該押子に対応するリフィールの突出状態が維持され、シャープペンシル用リフィール（２１）の突出状態で軸筒後端のノック部（６１）がノック操作されることにより、シャープペンシル用リフィール２１の筆記先端部から鉛芯を繰り出す。
【０００３】
ところで、前記構成の筆記具において、異なる色や機能を有するリフィールを、自由に選択して組み替えられるようにした場合であって、例えば、選択されたリフィールが全てボールペン用リフィールであった場合には、鉛芯繰出しのためのノック操作が不要になる。そして、このような場合には、使用者が混乱しないように、前記ノック操作を不能にすることが望まれる。
【先行技術文献】
【特許文献】
【０００４】
【特許文献１】特開２００３−３９８８８号公報
【発明の概要】
【発明が解決しようとする課題】
【０００５】
本発明は上記従来事情に鑑みてなされたものであり、その課題とする処は、装着されるリフィールの種類に応じて、鉛芯繰出しのための操作を可能にしたり不能にしたりすることができる筆記具を提供することにある。
【課題を解決するための手段】
【０００６】
上記課題を解決するための技術的手段は、軸筒と、複数のリフィールを選択的に軸筒から出没させるリフィール出没機構とを備え、前記リフィール出没機構を外部操作により往復動させて、該リフィール出没機構により突出状態にあるシャープペンシル用リフィールから鉛芯を繰出すようにした筆記具において、前記リフィール出没機構を前記往復動が可能な状態と前記往復動が不能な状態とに切替える切替手段と、軸筒後端から外部に突出するノック部とを備え、該ノック部の操作によって前記リフィール出没機構を前記往復動させるようにした筆記具であって、前記切替手段は、前記ノック部を往復動可能な状態と往復動不能な状態とに切替える手段であり、前記ノック部には、着脱可能に係止部材が設けられ、前記係止部材は、軸筒径方向へ突出する突起を有し、該突起を軸筒後端に接触又は近接させて前記ノック部を往復動不能にした状態と、同突起を軸筒後端から後方へ離間させて前記ノック部を往復動可能にした状態との双方の状態で、前記ノック部に装着可能であることを特徴とする。
【発明の効果】
【０００７】
本発明は、以上説明したように構成されているので、以下に記載されるような作用効果を奏する。
装着される複数のリフィールが、例えばボールペン用リフィールや電子機器の入力ペン用リフィール等であって、全てシャープペンシル用リフィールでない場合には、切替手段によって、リフィール出没機構を、鉛芯繰出しのための往復動が不能な状態に切替えることができる。また、装着される複数のリフィールにシャープペンシル用リフィールが含まれる場合には、同切替手段によって、リフィール出没機構を、鉛芯繰出しのための往復動が可能な状態に切替えることができる。
よって、装着されるリフィールの種類に応じて、鉛芯繰出しのための操作を可能にしたり不能にしたりすることができる。
【図面の簡単な説明】
【０００８】
【図１】本発明に係る筆記具の一例を示す断面図であり、（ａ）は鉛芯繰出しのための操作を可能にした状態を示し、（ｂ）は鉛芯繰出しのための操作を不能にした状態を示す。
【図２】押子ガイド体の一例を示す斜視図である。
【図３】同押子ガイド体の一部分を切欠して内部構造を見せるようにした斜視図である。
【図４】係止部材の一例を示す斜視図である。
【図５】スペーサの一例を示す側面図である。
【発明を実施するための形態】
【０００９】
本発明を実施するための一形態は、軸筒と、複数のリフィールを選択的に軸筒から出没させるリフィール出没機構とを備え、前記リフィール出没機構を外部操作により往復動させて、該リフィール出没機構により突出状態にあるシャープペンシル用リフィールから鉛芯を繰出すようにした筆記具において、前記リフィール出没機構を前記往復動が可能な状態と前記往復動が不能な状態とに切替える切替手段を設けた。
【００１０】
さらに、切替手段の切替操作を容易にするためには、軸筒後端から外部に突出するノック部を備え、該ノック部の操作によって前記リフィール出没機構を前記往復動させるようにした筆記具であって、前記切替手段は、前記ノック部を往復動可能な状態と往復動不能な状態とに切替える手段である。
【００１１】
さらに、ノック部を往復動可能な状態と往復動不能な状態とに容易に切替えるためには、前記ノック部には、着脱可能に係止部材が設けられ、前記係止部材は、軸筒径方向へ突出する突起を有し、該突起を軸筒後端に接触又は近接させて前記ノック部を往復動不能にした状態と、同突起を軸筒後端から後方へ離間させて前記ノック部を往復動可能にした状態との双方の状態で、前記ノック部に装着可能である。
【００１２】
さらに、前記係止部材の突起の状態を容易に変化させるためには、前記係止部材は、前後方向の一端側に前記突起を有するとともに、前後を反転して前記ノック部に装着可能に形成されている。
【００１３】
さらに、前記係止部材の着脱を容易にするためには、前記ノック部を円筒状に形成し、前記係止部材を前記ノック部に対し弾性的に拡縮して嵌脱される断面Ｃ字状に形成する。
【００１４】
さらに、リフィールを出没させたり往復動させたりするための具体的構成としては、前記リフィール出没機構は、各リフィールの後端部に接続されて前後方向へ進退可能な押子と、該押子の進退を案内する押子ガイド体とを備え、前記押子ガイド体は、前進位置にある前記押子を係止した状態で、軸筒に相対して軸方向へ往復動するように設けられ、後端側に前記ノック部を有する。
【００１５】
また、異なる色や機能を有するリフィールを、自由に選択して組み替えられるようにするためには、前記各押子の前端部に、リフィール後端部を着脱可能に接続する接続部を設け、複数の前記押子の前記接続部を全て同形状に形成し、ボールペン用リフィールを前記接続部に接続する際には直接接続し、ボールペン用リフィール以外のリフィールを前記接続部に接続する際にはスペーサを介して接続するようにする。
【００１６】
以下、上記形態の特に好ましい具体例を、図面に基づいて詳細に説明する。
この筆記具１は、軸筒１０と、複数（本実施の形態の一例では４本）のリフィール２１，２２を選択的に軸筒１０から出没させるリフィール出没機構Ａとを備え、前記リフィール出没機構Ａを外部操作により往復動させて、該リフィール出没機構Ａにより突出状態にあるシャープペンシル用リフィール２１から鉛芯を繰出すようにした筆記具であって、リフィール出没機構Ａを前記往復動が可能な状態と前記往復動が不能な状態とに切替える切替手段Ｂを具備している（図１参照）。
【００１７】
軸筒１０は、図示例によれば、前側軸筒１１に、後側軸筒１２を螺合してなる。
この軸筒１０の他例としては、一本の筒体からなる態様や、筒体の先端側に先細状の先口を接続した態様、３本以上の筒体からなる態様等とすることが可能である。
【００１８】
前側軸筒１１は、前端側に先細状に先口部１１ａを有するとともに、後端側に螺合接続のための雄ねじ部１１ｂを有する長尺筒状の部材である。
先口部１１ａの前端には、シャープペンシル用リフィール２１及びボールペン用リフィール２２を出没させるための開口部１１ａ１が設けられる。この開口部１１ａ１の内径は、シャープペンシル用リフィール２１前端側の筆記部２１ａを遊挿するとともに該筆記部２１ａよりも若干後側の段部２１ｂを前進不能に係止可能であって、且つ、ボールペン用リフィール２２前端側のチップ２２ａを遊挿するように適宜に設定されている。
【００１９】
後側軸筒１２は、前端側の内周面に設けられて前側軸筒１１に螺合接続される雌ねじ部１２ａと、後端側の外周壁を貫通する複数の窓部１２ｂ，１２ｃと、後方へ貫通した後端開口部１２ｄとを有する。
複数の窓部１２ｂ，１２ｃは、軸筒周方向に所定間隔を置いて配置される。これらのうちの窓部１２ｂは、直接操作用押子４２を露出するためのものであり、本実施の形態の一例では周方向に間隔を置いて３箇所設けられる。また、窓部１２ｃは、クリップ支持用押子４１を露出するためのものであり、本実施の形態の一例では１箇所設けられる。
【００２０】
後側軸筒１２内の前側には、複数のリフィール２１，２２をそれぞれ軸方向へ案内するリフィールガイド部材３０が固定されている。
このリフィールガイド部材３０は、シャープペンシル用リフィール２１及びボールペン用リフィール２２，２２のそれぞれを軸方向へ貫通し挿入するとともに、クリップ支持用押子４１及び直接操作用押子４２の各々を後方へ付勢している各付勢部材３１（図示例によれば圧縮コイルスプリング）の先端部を受けている。
【００２１】
シャープペンシル用リフィール２１は、筆記部２１ａ側の段部２１ｂを軸筒１０前端の開口部１１ａ１の内縁に係止された状態で、圧縮スプリング２１ｃよりも後側の芯タンク２１ｄが押されて軸方向へ往復動することによって、筆記部２１ａから鉛芯を繰り出す周知構造を有する。
【００２２】
また、各ボールペン用リフィール２２は、インクが充填されたインク収容管２２ｂの前端に、回転自在に転写ボールを抱持したチップ２２ａを嵌着してなる。
【００２３】
リフィール出没機構Ａは、各リフィール２１，２２の後端部に接続されて前後方向へ進退可能な複数の押子４１，４２、該押子の進退を案内する押子ガイド体５０等によって構成され、前記複数の押子４１，４２が選択的に操作されることで、対応するリフィール２１（又は２２）を軸筒１０前端から出没する。
【００２４】
複数の押子４１，４２のうち、クリップ支持用押子４１は、その前端部に、スペーサ４３を接続するための接続部４１ａを有するとともに、後端側に、外部に露出されてクリップ６０を支持するための支持突部４１ｂを有する。
また、直接操作用押子４２は、その前端部に、ボールペン用リフィール２２を接続するための接続部４２ａを有するとともに、後端側に、外部に露出されてクリップを支持する操作突部４２ｂを有する。
【００２５】
接続部４１ａと接続部４２ａは、同形状に形成される。各接続部４１ａ（又は４２ａ）は、先端側部分の幅寸法を後側部分よりも大きくした形状を呈する。
【００２６】
前記スペーサ４３は、シャープペンシル用リフィール２１の後端部を間接的にクリップ支持用押子４１前端の接続部４１ａに接続する部材であり、詳細に説明すれば、図５に示すように、前端側にシャープペンシル用リフィール２１の後端開口部内に嵌合する嵌合突部４３ａを有するとともに、後端側に接続部４１ａ（又は４２ａ）を嵌合する嵌合凹部４３ｂを有する。
このスペーサ４３は、例えば合成樹脂材料等、弾性変形可能な材料から成形される。
【００２７】
嵌合突部４３ａは、軸心を挟むようにして対峙する一片部４３ａ１と他片部４３ａ２、及び嵌め合い部４３ａ３、環状凹部４３ａ４とからなる。一片部４３ａ１と他片部４３ａ２の外周面は、シャープペンシル用リフィール２１の芯タンク２１ｄ内周面に沿って軸方向へ延伸するとともに周方向に湾曲して形成される（図５参照）。嵌め合い部４３ａ３は、環状に形成され、前記芯タンク２１ｄの内径よりわずかに大きな外径を持つ。この嵌め合い部４３ａ３の後ろ側には、環状凹部４３ａ４が形成される。
前記嵌合突部４３ａは、シャープペンシル用リフィール２１の芯タンク２１ｄ後端から挿入されると、一片部４３ａ１及び他片部４３ａ２が芯タンク２１ｄ内周に沿って挿入され前進した後、嵌め合い部４３ａ３は、芯タンク２１ｄ後端がスペーサ４３に当接するまで圧入される。その後、芯タンク２１ｄは、その後端近傍外周がかしめられることで内周面から部分的に突出する凸部２１ｄ１を、環状凹部４３ａ４に嵌め合わせる。これによって、スペーサ４３は、芯タンク２１ｄに対し着脱不能に接続される。この接続状態では、一片部４３ａ１及び他片部４３ａ２が芯タンク２１ｄ内周面に沿っての前方へ延設されるため、スペーサ４３が径方向へがたついて抜けるようなことを防止することができる。
【００２８】
また、嵌合凹部４３ｂは、略円柱状の内周面を有する凹部であり、その内周面に、他の部分よりも内径を若干小さくした縮径部４３ｂ１を有する（図５参照）。
この構成によれば、クリップ支持用押子４１前端側の接続部４１ａが、嵌合凹部４３ｂを若干弾性変形させて、縮径部４３ｂ１よりも奥側まで挿入され嵌合される。
【００２９】
また、押子ガイド体５０は、前進位置にあるクリップ支持用押子４１又は直接操作用押子４２を係止した状態で、軸筒１０に相対して軸方向へ往復動するように設けられ、後端側にノック部５２を一体に有する。
詳細に説明すれば、この押子ガイド体５０は、クリップ支持用押子４１及び直接操作用押子４２の進退を案内するガイド部５１と、軸筒１０後端から外部へ突出するノック部５２とから構成される（図２及び図３参照）。
【００３０】
ガイド部５１は、後側軸筒１２の後端側に内在され、軸方向へスライド可能な略筒状に形成され、その周壁に、クリップ支持用押子４１の進退を案内するガイド孔５１ａや、前進位置となった際のクリップ支持用押子４１の後端を係止する係止段部５１ｂ、直接操作用押子４２の進退を案内するガイド孔５１ｃ、前進位置となった際の直接操作用押子４２の後端を係止する係止段部５１ｄ等を形成してなる（図２及び図３参照）。
【００３１】
また、ノック部５２は、略円筒状に形成され、その外周面に、被装着部５２ａを有する。
被装着部５２ａは、係止部材５３を嵌め合い可能な断面略Ｃ字状の溝である。
この被装着部５２ａには、後述する係止部材５３（切替手段Ｂ）が略Ｃ字状に装着される。
【００３２】
また、図２中、符号５１ｅは、軸筒１０内周面の図示しない凸部に嵌り合って、押子ガイド体５０を回転不能に保持する凹部である。
【００３３】
係止部材５３は、ノック部５２を往復動可能な状態と往復動不能な状態とに切替える切替手段Ｂとして機能する。
この係止部材５３は、軸筒軸方向へわたる断面Ｃ字状の部材であり（図４参照）、ノック部５２に対し弾性的に拡縮して嵌脱されるように、例えば、適度な弾性を有する合成樹脂材料から形成される。
この係止部材５３の前後方向の一端側には、軸筒１０の後端部に当接可能な突起５３ａが設けられ、その他端側には、軸筒１０の後端開口部１２ｄに挿入可能な挿入部５３ｂが形成される。
突起５３ａは、軸筒径方向へ突出する断面Ｃ字状に形成される。また、挿入部５３ｂは、軸筒１０の後端開口部１２ｄに遊挿可能な外径の断面Ｃ字状であって、突起５３ａの前方側（又は後方側）に延設されている。
【００３４】
前記構成のリフィール出没機構Ａについて組み立て手順を説明すれば、先ず、押子ガイド体５０は、後側軸筒１２内の後端側に挿入されて、ノック部５２を後側軸筒１２後端から突出させる。この状態で、ノック部５２に係止部材５３が装着されると、押子ガイド体５０は、組み立て作業中に、後側軸筒１２から前方へ抜け落ちないようになる。
ノック部５２に係止部材５３を装着する際、係止部材５３は、突起５３ａを軸筒１０後端に接触又は近接させてノック部５２を往復動不能にした状態（図１（ｂ）参照）と、前後を反転して、同突起５３ａを軸筒１０後端から後方へ離間させてノック部５２を往復動可能にした状態（図１（ａ）参照）との双方の状態で、ノック部５２に装着可能である。
この係止部材５３は、ノック部５２の溝状の被装着部５２ａに嵌り合うことで、ノック部５２に相対し前後へ移動しないように保持される。
【００３５】
また、軸筒１０外部に露出するクリップ支持用押子４１の支持突部４１ｂには、クリップ６０が揺動可能に装着される。クリップ６０は、その後端部が軸筒軸心方向へ押圧されることで、前端部を軸筒１０外周面から離間するように開放し、前記押圧力が除去されると、圧縮スプリング６１の付勢力によって前端部を軸筒１０外周面に接近させる。
【００３６】
上記構成の筆記具１によれば、突起５３ａを後方寄りに配置した状態（図１（ａ）参照）では、押子ガイド体５０は、後方から外力が加えられると、付勢部材３１の付勢力に抗して前進する。また、前記外力が除去されると、付勢部材３１の付勢力によって後退する。すなわち、押子ガイド体５０は往復動可能な状態である。
したがって、クリップ６０の前進操作によりクリップ支持用押子４１を押子ガイド体５０の係止段部５１ｂに係止した状態で、ノック部５２を前後に往復動すれば、シャープペンシル用リフィール２１は、その前端側の段部２１ｂが係止された状態で後部側の芯タンク２１ｄが往復動されるため、筆記部２１ａから鉛芯を繰出す。
【００３７】
また、押子ガイド体５０を往復動不能に切替えるには、先ず、係止部材５３を弾性的に拡径してノック部５２から外す。この際、係止部材５３の周方向の一端部が、Ｃ字状の溝である被装着部５２ａの周方向の端面に当接して、係止部材５３の回転が防止されるため、係止部材５３を容易に拡径させて外すことができる。
次に、この外された係止部材５３を、前後の向きを変えて再度ノック部５２に装着する。この状態（図１（ｂ）参照）では、突起５３ａが軸筒１０の後端に近接又は接触するため、ノック部５２（押子ガイド体５０）が往復動不能な状態に保持される。
よって、リフィールの組み換え等が行われ、全てのリフィールがシャープペンシル用リフィール２１以外のリフィールとされた場合に、ノック部５２をノック操作不能な状態にすることができる。
【００３８】
なお、上記実施の形態によれば、リフィールを４本備え、そのうちの一本をシャープペンシル用リフィール２１とした一例を示したが、他例としては、２本または３本、あるいは５本以上のリフィールを具備した態様や、他の種類のリフィール（例えば、電子機器の入力ペン用リフィール）を具備した態様等とすることも可能である。
【００３９】
また、一般的に、シャープペンシル用リフィールとボールペン用リフィールでは、長さ及び後端部内径が異なるため、本実施の形態ではシャープペンシル用リフィール２１と押子との接続箇所にスペーサ４３を介在したが、他例としては、前記長さ及び後端部内径を統一して、スペーサ４３を省いて全てのリフィールをそれぞれ押子に直接接続した態様とすることも可態である。
【００４０】
また、上記実施の形態によれば、ノック部５２を押子ガイド体５０の一部としたが、他例としては、ノック部５２を押子ガイド体５０とは別体の部材とすることも可能である。すなわち、ガイド部５１とノック部５２とを分離した態様とすることが可能である。
【００４１】
また、切替手段Ｂの形態は、図示例に限定されるものでなく、他例としては、ノック部５２の前端側と後端側に環状凹部を設けるとともに、その一方の環状凹部に、軸筒１０後端に当接可能な止め輪を着脱可能に環装し、この止め輪を前端側又は後端側の前記環状凹部に付け替えることで、ノック部５２を往復動可能又は往復動不能に切替える構成としてもよい。
さらに切替手段Ｂの他例としては、ノック部５２の前端側と後端側に嵌合孔を設けるとともに、その一方の嵌合孔に、軸筒１０後端に当接可能なピン状部材を嵌入し、このピン状部材を前端側又は後端側の前記嵌合孔に付け替えることで、ノック部５２を往復動可能又は往復動不能に切替える構成としてもよい。
【００４２】
さらに切替手段Ｂの他例としては、ノック部５２の外周面に出没可能な突起を設け、該突起が突出位置にある際には該突起を軸筒１０後端に係止してノック部５２を往復動不能にし、該突起が没入した際にノック部５２が往復動可能になる構成とすることも可能である。
さらに切替手段Ｂの他例としては、ノック部５２を軸心周りに回転操作することで、該ノック部５２を軸筒１０に係止した往復動不能状態と、該係止を解除した状態とが切替えられる構成とすることも可能である。
【００４３】
また、上記実施の形態において、リフィール出没機構Ａは、複数の押子が選択的に操作されることで、選択された押子に対応するリフィールを出没する構成としたが、他例としては、回転操作によって複数のリフィールを選択的に軸筒から出没させるリフィール出没機構を構成し、このリフィール出没機構を、上記切替手段によって鉛芯繰出しのための往復動が可能な状態と、該往復動が不能な状態とに切替えるようにすることも可能である。
【符号の説明】
【００４４】
１０：軸筒                          ２１：シャープペンシル用リフィール
２２：ボールペン用リフィール        ３０：リフィールガイド部材
４１：クリップ支持用押子            ４２：直接操作用押子
４３：スペーサ                      ５０：押子ガイド体
５１：ガイド部                      ５２：ノック部
５２ａ：被装着部                    ５３：係止部材
５３ａ：突起                        ６０：クリップ
Ａ：リフィール出没機構              Ｂ：切替手段
【図１】
0005798770.tif 000002
【図２】
0005798770.tif 000003
【図３】
0005798770.tif 000004
【図４】
0005798770.tif 000005
【図５】
0005798770.tif 000006